(57)【要約】【課題】水路仕切板を用いて流水を止めずに水路に水路補修域を容易に、速やかに画成し、１作業単位の補修面積が広いので移動回数が少なく、また上方が開放しているので作業効率に優れている水路の補修工法を提供する。【解決手段】既設水路５１を幅方向に二分する状態で水路の長手方向に沿って水路床５３上に水路仕切板１を列設し、水路仕切板１と側壁５４の一方との間に仕切板支持体５を架設して水路仕切板１を起立状態に保持する。水路床５３に接する漏水防止シール材３Ｃを有する漏水防止パネル３を水路仕切板１の側面に添設する。水路床５３、一側側壁５４及び水路仕切板１によって既設水路５１内に水路補修域Ｚを画成し、路補修域Ｚの上流端側に止水体１１を配置して遮水することにより、水路補修域Ｚの水路床５３及び側壁５４を露出させる。【選択図】図２
2020037796.tif 000002
【特許請求の範囲】
【請求項１】
水路床から一対の側壁が対向して起立する水路の補修工法であって、該水路を幅方向に二分する状態で水路の長手方向に沿って前記水路床上に水路仕切板を配設し、該水路仕切板と前記側壁の一方との間に仕切板支持体を架設して該水路仕切板を起立状態に保持し、前記水路床に接する漏水防止シール材を有する漏水防止パネルを該水路仕切板の側面に添設することにより、前記水路床、一側壁面及び前記水路仕切板によって前記水路内に水路補修域を画成し、該水路補修域の上流端側に止水体を配置して遮水することにより、該水路補修域の水路床及び側壁を露出させるようにした水路の補修工法。
【請求項２】
前記水路仕切板は、下面に前記水路床に接する漏水防止パッキンを設けてあることを特徴とする請求項１記載の水路の補修工法。
【請求項３】
前記仕切板支持体は、支持杆と、該支持杆の両端側に設けられ、前記水路仕切板及び何れかの側壁に係着する係止体とから構成してあることを特徴とする請求項１記載の水路の補修工法。
【請求項４】
前記支持杆は、伸縮可能であることを特徴とする請求項３記載の水路の補修工法。
【請求項５】
前記漏水防止パネルは、前記水路仕切板に上下に変位可能に設けてあることを特徴とする請求項１記載の水路の補修工法。
【請求項６】
前記水路仕切板は、前記水路床に面状に接する支え板を下端側に略Ｌ字状に設けてあることを特徴とする請求項１記載の水路の補修工法。
【請求項７】
該支え板は、下面に前記水路床に接する漏水防止パッキンを設けてあることを特徴とする請求項６記載の水路の補修工法。
【請求項８】
前記止水体は、前記水路補修域の上流側開口を閉塞可能な止水シートと、該止水シートを押え込む重量物とから構成してある請求項１記載の水路の補修工法。
【発明の詳細な説明】
【技術分野】
【０００１】
本発明は、流石、流木等の異物による衝撃や、コンクリートの経年劣化による亀裂や剥離、更には水藻や雑草の繁殖による流水性の阻害が生じている水路床及び側壁を流水を止めることなく効率的に補修することを可能にする水路の補修工法に関する。
【背景技術】
【０００２】
農業用や工業用の水路、発電事業所の排水路等は、流木、流石の衝突により、また冬期における凍結によって、水路床や側壁に亀裂等の損傷が形成される。これらの損傷は経年に伴って次第に拡大し、損傷した箇所から地中に水が浸透して内部の土砂を流出させる、水路の流れが悪くなって流木等の雑物が滞留し易くなり排水性が阻害される、土砂が堆積し易くなる、更には円滑な流れが阻害されて水路から溢流するといった水路の機能が損なわれる多様な問題が生じる。また、水路床や側壁に水藻、雑草が次第に繁殖して流水性を阻害するという問題も生じる。
【０００３】
このため、水路の水路床や側壁の損傷は補修する必要があり、従来は排水用バイパスを設け、水路を遮断して水路から水を抜いた状態にして補修作業を行っていた。しかし、周囲の条件により排水用バイパスを設けることが出来ない場合には施工が無理であるという欠点がある。
そこで、天井部と底面を開放した構成の作業容器Ａを開水路Ｂに沈設して底面を開水路Ｂの底面に密着させ、作業容器内の水を排水し、作業容器Ａの底面に露出した開水路Ｂの底面の補修を行う開水路の補修工法が提案されている（特許文献１）。
【先行技術文献】
【特許文献】
【０００４】
【特許文献１】特開平８−１１３９３３号公報
【発明の概要】
【発明が解決しようとする課題】
【０００５】
特許文献１の技術は、水路の使用を停止する必要が無く、バイパス工事も行わずに水路の底面や壁面の補修が可能である点で優れている。しかし、作業容器Ａを沈設するために以下の設置工程が必要である。即ち、両側の壁面の水上部にレール４を並行に取付け、レール４間に支持枠５を開水路Ｂを横断する状態で移動自在に掛け渡し、支持枠５に作業容器Ａの上部を取付けて底面と側面を開水路Ｂに当接させ、開口部の周囲の弾性部材からなる止水部材１が自重によって底面と側面に密着したら、ポンプにより作業容器Ａ内の水を排出する。
【０００６】
しかし、これらの設置工程には日数を要する。補修の対象となる開水路Ｂは作業容器Ａが沈設可能な横幅のある水路に限られることから、底面積の異なる複数の作業容器が必要になる。補修面積が作業容器Ａ内の底面に限られることから、作業容器Ａを頻繁に移動しなければならず作業効率が悪い。作業容器Ａに取付ける支持枠５がレール４で移動自在であるとしても、作業容器Ａの移動にはその都度沈設する場合と同様の作業が必要である。といった幾多の問題点や欠点がある。
また、作業容器Ａは出入り用に一部が開放した形状の天井部を有していることから、モルタル等の資材を収容した箱をクレーンで吊って上方から搬入し、或いは水路内底面で回収した水藻や雑物等を箱に収容して搬出することができないために作業効率が悪いという欠点がある。
【０００７】
本発明は上述した従来技術の諸欠点に鑑みなされたもので、バイパス工事を行うことなく水路仕切板を用いることで、流水を止めることなく水路に水路補修域を容易に、速やかに画成することができるし、水路仕切り工事は短期間で施工可能であり、また１作業単位の補修面積が広いので移動回数が少なく作業効率に優れており、かつ水量の多寡のいずれにも対応できるので通年工事が可能である水路の補修工法を提供することを目的とする。
【課題を解決するための手段】
【０００８】
（１）上述した課題を解決するために構成した請求項１に係る本発明の手段は、水路床から一対の側壁が対向して起立する水路の補修工法であって、該水路を幅方向に二分する状態で水路の長手方向に沿って前記水路床上に水路仕切板を配設し、該水路仕切板と前記側壁の一方との間に仕切板支持体を架設して該水路仕切板を起立状態に保持し、前記水路床に接する漏水防止シール材を有する漏水防止パネルを該水路仕切板の側面に添設することにより、前記水路床、一側側壁及び前記水路仕切板によって前記水路内に水路補修域を画成し、該水路補修域の上流端側に止水体を配置して遮水することにより、該水路補修域の水路床及び側壁を露出させるようにしたことにある。
（２）そして、前記水路仕切板は、下面に前記水路床に接する漏水防止パッキンを設けるとよい。
（３）また、前記仕切板支持体は、支持杆と、該支持杆の両端側に設けられ、前記水路仕切板及び何れかの壁面に係着する係止体とから構成するとよい。
（４）そして、前記支持杆は、伸縮可能にするとよい。
（５）また、前記漏水防止パネルは、前記水路仕切板に上下に変位可能に設けるとよい。
（６）更に、前記水路仕切板は、前記水路床に面状に接する支え板を下端側に略Ｌ字状に設けるとよい。
（７）そして、該支え板は、下面に前記水路床に接する漏水防止パッキンを設けるとよい。
（８）また、前記止水体は、前記水路補修域の上流側開口を閉塞可能な止水シートと、該止水シートを押え込む重量物とから構成するとよい。
【発明の効果】
【０００９】
（１）水路仕切板によって水路を幅方向に二分して水路の一側を水路補修域に、他側を流水域に画成し、水路補修域の上流端側に止水体を配置して水路床及び壁面を露出させる方法を採用することで、流水を止めることなく水路の補修作業を行うことができるし、バイパス工事は不要であるから工事費も節減できるし、補修工事も短期間で行うことができる。
（２）水路補修域は上方が全面的に開放しているから、補修資材の搬入作業や水路内の雑物の搬出作業を円滑に行うことができる。
（３）水路仕切板、仕切板支持体及び止水体は移動及び設置が容易であるから、補修作業終了後の水路補修域の移動が容易である。
（４）水路補修域は水路の幅に応じて広狭自由に設定できるから、広い補修作業面積を確保することも可能である。
（５）仕切板支持体は、伸縮自在な支持杆と、該支持杆の両端側に設けられ、前記水路仕切板及び何れかの壁面に係着する係止体とから構成してあり、水路仕切板と側壁との間に張設することで水路仕切板の立設作業を容易に、効率良く行うことができる。
（６）漏水防止パネルは、水路仕切板に上下に変位可能に設けることで、凹凸の激しい荒れた水路床でも漏水防止パネルを密着させることができる。
（７）水路仕切板は、水路床に面状に接する支え板を下端側に略Ｌ字状に設けることにより、水路仕切板の安定性が高くなるし、水路床に対する接触面が広いので漏水防止効果が得られる。そして、支え板の下面に水路床に接する漏水防止シール材を設けると更に漏水防止効果を得られる。
（８）止水体は、水路補修域の上流側開口を閉塞可能な止水用シートと、止水用シートを押え込む重量物とから構成したから、水路補修域の閉塞作業を容易に、短時間で効率良く行うことができる。
【図面の簡単な説明】
【００１０】
【図１】図１は本発明の実施の形態に係り、水路内に水路仕切板を配置した部分斜視図である。
【図２】水路の上流側に止水体を配置した部分斜視図である。
【図３】水路仕切板と漏水防止パネルの下端側の部分拡大図である。
【図４】仕切板支持体の全体構成図である。
【図５】仕切板支持体で水路仕切板を保持する部分拡大図である。
【図６】水路仕切板に対して上下の調整可能な漏水防止パネルの分解斜視図である。
【図７】変形例に係る水路仕切板を設置した水路の縦断面図である。
【発明を実施するための形態】
【００１１】
以下、本発明の実施の形態を図に基づき詳述する。図１及び図２において、５１はコンクリート製の既設水路、５２、５２、・・・は該既設水路５１を構成する複数の水路構成体を示す。該各水路構成体５２は水路床５３と、該水路床５３の幅方向両端から起立して対向する一対の側壁５４、５４とから縦断面略凵字状の形状で所定の長さに成形したものからなり、複数の水路構成体５２、５２、・・を長手方向に連結することにより、既設水路５１は構成してある。
そして、既設水路５１の水路床５３の表面５３Ａ及び側壁５４の表面５４Ａは、年月の経過と共に流石、流木、氷塊等の異物の衝突によって亀裂、剥離等の損傷を受けて次第に劣化し、また水藻等の植物が繁殖して水の流れを妨げる荒れた凹凸面になることから、水路内面の修復が必要になる。
【００１２】
１、１、・・・は水路仕切板を示す。該各水路仕切板１は前記既設水路５１内を幅方向に二分する状態で、既設水路５１の長手方向に沿って水路床５３上に複数枚配置し列設することにより、既設水路５１内は一側を水路補修域Ｚに、他側を流水域Ｙとして画成してある。各水路仕切板１はコンクリート製の長尺の平板からなる板本体１Ａと、該板本体１Ａの上面に突設したクレーンによる吊上げ用の係止環１Ｂ、１Ｂと、板本体１Ａの縦方向に離間して形成した下側ボルト穴１Ｃと上側ボルト穴１Ｄとからから構成してある。なお、板本体１Ａの長手方向一側端面に蟻溝を、他側端面にほぞを形成して列設する水路仕切板１、１を嵌合状態で連結するようにしてもよい。これにより、列設する水路仕切板１、１、・・・全体の強度性を高めることができるし、漏水防止効果も高まる。
【００１３】
２は前記板本体１Ａの下面に固着した漏水防止パッキンで、該漏水防止パッキン２は、例えば発泡合成樹脂、布織布等の柔軟性を有する材料で成形することにより、水路床５３の凹凸のある荒れた表面５３Ａに密着するようにしてある（図３参照）。
【００１４】
３は前記板本体１Ａの一側側面に添接して設けた漏水防止パネルを示す。該漏水防止パネル３はコンクリート製のパネル本体３Ａと、該パネル本体３Ａの厚さ方向に貫通して形成したボルト通し穴３Ｂと、パネル本体３Ａの下面に設けた漏水防止シール材３Ｃとから構成してある。パネル本体３Ａは水路仕切板１より縦幅を短く設定した平パネルに形成し、作業員が重機を用いずに設置できる重量にしてある。そして、漏水防止パネル３は、水路仕切板１の一側側面に添接して取付けボルト・ナット４によって着脱可能に締着してある。
【００１５】
図４、５において、５、５、・・・は複数本の仕切板支持体を示す。６は該各仕切板支持体５を構成する支持杆で、該支持杆６は一端側が開口して内周面に雌ねじ６Ａ１を形成した支持筒６Ａと、外周面に雄ねじ６Ｂ１を形成し、先端に連結環６Ｂ２を形成して前記支持筒６Ａに螺挿した支持ロッド６Ｂとから構成してあり、該支持ロッド６Ｂと支持筒６Ａは逆方向に回動することにより支持杆６は伸縮自在になっている。
【００１６】
７は前記支持筒６Ａの他端に連結した回動連結具で、該回動連結具７は基板７ＡにＵ字環７Ｂを固着して形成してある。８は該回動連結具７に搖動自在に連結した仕切板係止具で、該仕切板係止具８は水路仕切板１の上端側に上方から嵌合する略冂字状の係止金物８Ａと、該係止金物８Ａの内側面に固着して回動連結具７のＵ字環７Ｂに係合するＵ字環８Ｂとから構成してある。
また、９は前記支持ロッド６Ｂの先端に搖動可能に連結したアイボルトで、該アイボルト９は側壁５４にドリル等の穿孔機で形成した支持孔に挿着するものである。
【００１７】
本実施の仕切板支持体５は上述の構成からなるもので、支持杆６は水路仕切板１と片側の側壁５４との間隔を考慮して長さを仮設定し、係止金物８Ａを水路仕切板１に嵌合した状態で支持筒６Ａを回転して支持ロッド６Ｂを進出させる。そして、アイボルト９を側壁５４に挿着した状態で、支持杆６を伸張させて仕切板支持材５を架設状態にする。
また、水路仕切板１の高さ方向略中間に位置して仕切板支持体５を側壁５４との間に架設する。この場合は、アイボルト９を側壁５４に挿着し、仕切板係止体８の係止金物８Ａを水路仕切板１の側面に当接し、反対側から上側ボルト穴１Ｄに押付ボルト１０を螺入して先端面を係止金物８Ａに押し付けることにより、水路仕切板１は起立した姿勢に保持することができる。
【００１８】
このようにして、仕切板支持体５を各水路仕切板１と側壁５４との間に上下に離間して架設することにより、水路床５３が凹凸のある荒れた状態でも水路仕切板１は既設水路５１を幅方向に略二分した状態で立設することができる。
【００１９】
既設水路５１に水路仕切板１を起立状態に列設したら、漏水防止パネル３を取付ボルト４で締着し、漏水防止シール材３Ｃを水路床５３の表面５３Ａに密接させる。なお、漏水防止パネル３は工場で予め水路仕切板１に締着しておいてもよい。
なお、図６に示すように、漏水防止パネル２１のパネル本体２１Ａに縦長のボルト通し穴２１Ｂを形成し、上下位置の調整が可能な構成にすることにより、漏水防止パネル２１の漏水防止シール材２１Ｃを水路床５３に強く密接させて漏水をより確実に防止することができる。
【００２０】
上述の如くして既設水路５１内に水路仕切板１を起立状態に列設することにより、既設水路５１内は水路補修域Ｚと流水域Ｙに画成した状態になり、かつ各一対の漏水防止パッキン２と漏水防止シール材３Ｃとによって、流水域Ｙから水路補修域Ｚ側に水が漏洩する事態を可及的に防止している。
【００２１】
１１は上述の構成により既設水路５１内に画成した水路補修域Ｚの上流側開口Ｚ１を閉塞して遮水するための止水体を示す。１２、１２、・・・は該止水体１１を構成する複数個の錘袋で、該各錘袋１２は強度性のある素材、例えばズック製の袋本体１２Ａ内に砂、砂利等の重量物を充填し、上面に吊り上げ用フック１２Ｂを設けて構成してある。１３は前記開口Ｚ１を閉塞する所謂ブルーシート等の止水用シートで、該止水用シート１３は既設水路５１内の水面より上位まで覆うように開口Ｚ１の下半分に配設し、流水で移動しないように複数個の錘袋１２で押えてある。
かくして、既設水路５１内を流れる水Ｗは止水体１１によって流水域Ｙ側に誘導し、水路補修域Ｚ内に流入するのを阻止することにより補修作業域Ｚの水路床５３及び側壁５４を露出させて作業空間を形成することができる。
【００２２】
なお、図７は本実施の形態の変形例に係る水路仕切板３１を示す。該水路仕切板３１は板本体３１Ａと、該板本体３１Ａの下端に略Ｌ字状に突設し、水路床５３に面状に接する支え板３１Ｂとから構成してあり、該支え板３１の下面には漏水防止パッキン２が固着してある。
この構成によれば、水路仕切板３１は起立状態の安定性が増すと共に、水路床５３に対する接触面が広いので高い漏水防止効果が得られる。
【００２３】
なお、本実施の形態では、仕切板支持体５を伸縮可能な支持杆６と、仕切板係止具８及びアイボルト９とから構成し、既設水路５１の幅が場所によって広狭変化する場合にも対応可能にしたが、本発明における仕切板支持材は実施の形態に限定されるものではなく、単純に金属製ロッドを用いてもよいものである。
【符号の説明】
【００２４】
１、３１    水路仕切板
２        漏水防止パッキン
３、２１    漏水防止パネル
３Ｃ        漏水防止シール材
５        仕切板支持体
６        支持杆
８        仕切板係止具（係止体）
９        アイボルト（係止体）
１１      止水体
【図１】
2020037796.tif 000003
【図２】
2020037796.tif 000004
【図３】
2020037796.tif 000005
【図４】
2020037796.tif 000006
【図５】
2020037796.tif 000007
【図６】
2020037796.tif 000008
【図７】
2020037796.tif 000009